(57)【要約】【課題】小型の構成で表示部の視認範囲が広く確保することが可能な撮像装置を提供する。【解決手段】ビデオカメラ１の把持部３０に表示部５０を取り付け、把持部３０に表示部５０の表示面５１を覆う表示面保護部を設ける。表示部５０は、表示面保護部によって表示面５１が覆われる収納状態と表示面５１が露出される展開状態との間で第１の回転軸Ｚの周りに把持部３０のいずれの側に対しても回転すると共に、展開状態にある時に表示面５１の角度を変更するように第１の回転軸Ｚと直交する第２の回転軸Ｙの周りに回転するように構成される。表示面５１に平行な面内で光軸に直交するＨ方向において表示面保護部の長さＨ１は表示部５０の長さＨ２よりも小さい。【選択図】図９
2011101088.tif 000002
【特許請求の範囲】
【請求項１】
画像を表示する表示部を備えた撮像装置であって、
前記撮像装置の上面に形成されるハンドルと、
前記ハンドルの先端に前方に延びる延長部と、
前記表示部を前記延長部に対して回転するように支持する回転支持部とを有し、
前記延長部の下面が前記表示部の表示面を覆う状態となるように、前記表示部を回転させた際に、前記延長部の下面の幅は前記表示部の短辺方向の幅よりも小さく形成され、前記表示部の前記延長部に覆われない部分には、表示部の外側下方に傾斜する傾斜面が形成されることを特徴とする撮像装置。
【請求項２】
前記回転支持部は前記延長部の先端で前記表示部を前記撮像装置に対して回転するように支持することを特徴とする請求項１に記載の撮像装置。
【発明の詳細な説明】
【技術分野】
【０００１】
本発明は撮像装置に関する。
【背景技術】
【０００２】
特許文献１は、撮像装置の把持部の下部に把持部に対して展開及び収納可能に表示部を設けると共に展開された表示部を回転可能に構成して表示部の画面の角度を変更可能としている。その他の従来技術としては特許文献２がある。
【先行技術文献】
【特許文献】
【０００３】
【特許文献１】特開２００８−２４４８０１号公報
【特許文献２】特開２００５−２１０６７７号公報
【発明の概要】
【発明が解決しようとする課題】
【０００４】
特許文献１及び特許文献２は、表示部が撮像装置の片側にのみ開閉可能な状態で取付けられているため、開閉方向とは反対側からの表示部の視認は困難であり、また、表示部が開閉可能な方向に壁などの障害があると表示部の開閉範囲が制約を受ける。また、撮像装置には小型化の要請が益々要求されてきている。
【０００５】
本発明は、小型の構成で表示部の視認範囲が広く確保することが可能な撮像装置を提供することを例示的な目的とする。
【課題を解決するための手段】
【０００６】
本発明の撮像装置は、画像を表示する表示部を備えた撮像装置であって、前記撮像装置の上面に形成されるハンドルと、前記ハンドルの先端に前方に延びる延長部と、前記表示部を前記延長部に対して回転するように支持する回転支持部とを有し、前記延長部の下面が前記表示部の表示面を覆う状態となるように、前記表示部を回転させた際に、前記延長部の下面の幅は前記表示部の短辺方向の幅よりも小さく形成され、前記表示部の前記延長部に覆われない部分には、表示部の外側下方に傾斜する傾斜面が形成されることを特徴とする。
【発明の効果】
【０００７】
本発明は、小型の構成で表示部の視認範囲が広く確保することが可能な撮像装置を提供することができる。
【図面の簡単な説明】
【０００８】
【図１】本実施例のビデオカメラ（撮像装置）の前側の斜視図である。
【図２】図１に示すビデオカメラの後側の斜視図である。
【図３】表示部が展開された図１に示すビデオカメラの部分拡大斜視図である。
【図４】表示部が展開された図１に示すビデオカメラの斜視図である。
【図５】図４に示すビデオカメラの表示部を９０度回転した状態を示す斜視図である。
【図６】図４に示すビデオカメラの表示部を１８０度回転した状態を示す斜視図である。
【図７】図４に示すビデオカメラの表示部を９０度回転した状態を示す斜視図である。
【図８】表示部が展開された図１に示すビデオカメラの斜視図である。
【図９】図１に示すビデオカメラの部分平面図である。
【図１０】表示部が展開された図１に示すビデオカメラの部分拡大平面図である。
【発明を実施するための形態】
【０００９】
図１は本実施例のビデオカメラ（撮像装置）１の前側の斜視図である。図２は、ビデオカメラ１の後側の斜視図である。
【００１０】
ビデオカメラ１は、カメラ本体部１０と把持部３０を有する。
【００１１】
カメラ本体部１０は、グリップ部１２、端子部１３を有し、レンズ鏡筒部２０が取り付けられる。カメラ本体部１０は、映像の記録／再生を行うことができ、撮像素子を収納している。撮像素子は、レンズ鏡筒部２０から入力される光に基づいて被写体の映像信号を形成する。
【００１２】
レンズ鏡筒部２０は、カメラ本体部１０の前端に着脱可能又は着脱不能に取り付けられ、カメラ本体部１０の前後方向（Ｌ方向）に平行に光軸が設定されている。レンズ鏡筒部２０の先端には、レンズ鏡筒部２０に入射する不要な光を遮断するためのレンズフード２２が着脱可能に装着されている。
【００１３】
把持部３０は、ローアングル撮影等で撮影者がカメラ本体部１０を保持する際に把持されるハンドル３１と、ハンドル３１の先端部３１ｂに取り付けられて前方に沿って延びる延長部３３と、を有し、カメラ本体部１０に固定されている。また、把持部３０には、ビューファインダー部４０、入力操作部４４、表示部５０が設けられている。
【００１４】
ハンドル３１は把持者が把持しやすいような直方体形状を有し、その中心線は入射光軸の上方に入射光軸に平行に延びている。ハンドル３１は、右手の親指以外の四本で把持される。
【００１５】
ハンドル３１の後端部３１ａにはビューファインダー部４０が取り付けられると共に後端部３１ａから下方に延びる支持部３２が設けられている。ビューファインダー部４０は撮影者が撮像画像を視認することを可能にし、先端にはアイカップ４２が取り付けられている。支持部３２はカメラ本体部１０の上面の後端部に固定されている後側脚部である。
【００１６】
延長部３３は、ハンドル３１の先端部３１ｂに接続される傾斜部３３ａを有する。傾斜部３３ａにより、延長部３３は、ハンドル３１よりも厚く形成され、表示部５０を収納可能となる。
【００１７】
また、延長部３３は、中央部３４と、中央部３４の両側から外側に張り出した一対の張出部３５ａ及び３５ｂと、を有する。
【００１８】
中央部３４の上面の中央には入力操作部４４が設けられている。入力操作部４４は、録画開始／終了を指示する録画ボタンや撮影時におけるズーミング操作を指示するズームボタンから構成されている。
【００１９】
また、中央部３４の上面の先端には突出部４５が設けられている。突出部４５は、前方及び左右側方に開口された中空部分からなり、内部には不図示のマイクロホンが収納されている。
【００２０】
図２に示すように、中央部３４の下には張出部３６が接続されている。張出部３６と延長部３３はその間に表示部５０を部分的に収納するためのスロット部を形成する。
【００２１】
張出部３６の下面には下方に延びる支持部３７が固定されている。支持部３７はカメラ本体部１０の上面の前端部に固定されている前側脚部である。このように、一対の支持部３２及び３７によって把持部３０はカメラ本体部１０に取り付けられている。また、把持部３０はＬ方向に延びている。
【００２２】
張出部３５ａは、グリップ部１２とは反対側にある中央部３４の側面３４ａの下部から図１に示す幅方向Ｈにほぼ一定の幅を有して張り出しており、Ｌ方向に所定の長さを有する。
【００２３】
図１に示すように、張出部３５ａの後部には右手の親指を置くための指置き部４９が設けられている。指置き部４９は、複数の傾斜面で構成されており、右手の親指を配置しやすい形状を有する面と、その周りに雨などの水滴を下部に逃がす複数の面（又は曲面）が配置される。張出部３５ｂは、中央部３４の側面３４ｂの下部から図２に示す幅方向Ｈにほぼ一定の幅を有して張り出しており、Ｌ方向に所定の長さを有する。張出部３５ｂの中央にはガンマイクなどの外部マイクを保持するための外部マイク保持部４８がネジ止めされている。
【００２４】
本実施例では、張出部３５ａ及び３５ｂの所定の長さは表示部５０の長手方向の長さに対応する長さであるが、表示部５０の後述する表示面５１を少なくとも覆うことができる長さがあれば足りる。張出部３５ａ及び３５ｂは、中央の平坦面（傾斜面でもよい）の周りに複数の傾斜面を有し、雨などの水滴を下部に逃がすことができる。本実施例は、中央部３４のＨ方向の幅を大きくする代わりに一対の張出部３５ａ及び３５ｂを設けており、小型軽量化を図っている。
【００２５】
表示部５０は、把持部３０のレンズ鏡筒部２０の側に回転可能に取り付けられる。より具体的には、表示部５０は、把持部３０の延長部３３の下部に収納及び延長部３３に対して展開自在に設けられている。また、展開された表示部５０は回転可能に構成されて表示面の角度を変更可能とされている。表示部５０は、撮像素子で形成された映像信号又は予め不図示のメモリに記録されている情報に基づいて映像を表示する液晶ディスプレイ、映像モニタディスプレイ等からなる平面モニタである。
【００２６】
図３は、ビデオカメラ１の表示部５０の回転機構である回転支持部６０を示す斜視図である。回転支持部６０は、レンズフード２２の上面２３の上に設けられる。
【００２７】
図３に示すように、中央部３４の下面と一対の張出部３５ａ及び３５ｂの下面は同一平面である延長部３３の下面３３ｃを構成する。下面３３ｃは、Ｈ方向の長さがＨ１であり、Ｈ１は延長部３３の下面３３ｃの幅となる。Ｈ１は、図９を参照して後述されるように、表示部５０のケース５３の幅方向の長さＨ２よりも小さい。
【００２８】
表示部５０が、図１〜図３に示すように、延長部３３に収納された収納状態になるように回転支持部６０は表示部５０を回転することができる。表示部５０は、その長手方向が光軸に平行になるようにして収納される。表示部５０の短手方向が光軸方向に平行になるようにして収納されると延長部３３の幅が大きくなって大型になるため、本実施例の構成は好ましい。
【００２９】
図４は、ビデオカメラ１の表示部５０の展開状態を示す斜視図である。回転支持部６０は、表示部５０が図３及び図４に示す展開状態になるように、表示部５０を収納状態から延長部３３に対して回転することができる。このように、表示部５０は、把持部３０に対して収納状態から展開状態に変位することができる。
【００３０】
表示部５０は、図４に示すように、映像（画像）を表示する表示面５１と、表示面５１を露出させる開口部５２が設けられたケース５３を有し、ケース５３が、図３に示す回転支持部６０に接続されている。ケース５３のＨ方向の長さはＨ２であり、表示面５１のＨ方向の長さはＨ３である。
【００３１】
図１及び図２に示す収納状態ではケース５３の開口部５２がある前面は延長部３３の下面３３ｃに対向する。ケース５３の幅方向（表示部の短辺方向の幅）の長さはＨ２であり、Ｈ２＞Ｈ１であるために表示部５０が下面３３ｃからＨ方向に突出するが、Ｈ１＞Ｈ３であるため表示面５１の全面を下面３３ｃによって覆うことができる。このように、延長部３３の下面３３ｃは表示部５０の表示面５１を覆ってこれを保護する表示面保護部として機能する。表示部５０の収納状態は表示面保護部によって表示部５０の表示面５１が覆われる状態であり、表示部５０の展開状態は表示面５１が露出された状態である。
【００３２】
図３において、回転支持部６０の要部は、図１及び図２に示す回転支持部保護部材６１を取り外すことにより露出される。回転支持部６０は、表示部５０を光軸方向と直交する第１の回転軸Ｚの周り（矢印Ｌｅ又はＲｉ方向）に回転可能にすると共に第１の回転軸Ｚと直交する第２の回転軸Ｙ（矢印Ｆｒ又はＢａ方向）の周りに回転可能にする。
【００３３】
収納状態にある表示部５０を第１の回転軸Ｚの周りにＲｉ方向に９０度（又は矢印Ｌｅ方向に２７０度）回転することによって図３及び図４に示す状態になる。
【００３４】
図５は、表示部５０を、図４に示す展開状態から第２の回転軸Ｙの周りに矢印Ｂａ方向に９０度（又は矢印Ｆｒ方向に２７０度）回転して撮影者側に表示面５１を向けた状態を示すビデオカメラ１の斜視図である。
【００３５】
図６は、表示部５０を、図５に示す状態から第２の回転軸Ｙの周りに矢印Ｂａ方向に９０度（又は矢印Ｆｒ方向に２７０度）回転した状態を示すビデオカメラ１の斜視図である。
【００３６】
図７は、表示部５０を、図４に示す展開状態から第２の回転軸Ｙの周りに矢印Ｆｒ方向に９０度（又は矢印Ｂａ方向に２７０度）回転して被写体側に表示面５１を向けた状態を示すビデオカメラ１の斜視図である。図５及び図７においては、レンズフード２２の上面２３の上に展開後に９０°回転した表示部５０が配置される。
【００３７】
図８は、収納状態にある表示部５０を第１の回転軸Ｚの周りにＬｅＲｉ方向に９０度（又は矢印Ｒｉ方向に２７０度）回転することによって表示部５０を展開状態としたビデオカメラ１の斜視図である。図８は把持部３０に関して図４と反対側に表示部５０を展開した状態を示しており、図８に示す状態から更に表示部５０を回転して、図５−図７に示す各状態と同様の状態にすることができることは言うまでもない。このように、第１の回転軸Ｚと第２の回転軸Ｙのそれぞれの周りの回転角度は限定されないので、表示部５０の視認範囲は広く確保されている。
【００３８】
なお、本実施例では、表示部５０は、表示面５１を任意の角度で停止させるフリーストップ機構を角度調節機構として内蔵しているが、予め定められた角度（４５度おきの角度など）でのみ停止する角度調節機構を内蔵してもよい。このような角度調節機構は、携帯電話の表示部の角度を調節する機構などとして知られているため、詳しい説明については省略する。
【００３９】
回転支持部６０は、中央部３４にビス等で締結するための締結部６２、締結部６２と連結された第１の回転部６３、ケース５３と締結される第２の回転部６４を有する。第１の回転部６３には第１の回転軸Ｚ、第２の回転軸Ｙで回転可能なように第１の軸受部６５、第２の軸受部６６が配置されている。
【００４０】
本実施例では特許文献１とは異なり、回転支持部６０の第１の回転軸Ｚは延長部３３のハンドル３１とは反対側の端部にあり、支持部３７の近傍にはない。このため、第１の回転軸Ｚの周りに表示部５０が回転することによって展開し、その後に、第２の回転軸Ｙの周りに表示部５０が回転しても表示部５０は指置き部４９と干渉しにくい。
【００４１】
図９は、表示部５０を延長部３３の下部に収納した状態を、被写体側から見たビデオカメラ１の部分拡大平面図である。本実施例では、延長部３３のＨ方向の幅Ｈ１を、表示部５０のケース５３の幅Ｈ２よりも小さくしている。
【００４２】
図１０は、延長部３３とその周辺を下側から見たビデオカメラ１の部分平面図である。Ｐは、延長部３３の幅Ｈ１を表示部５０のケース５３の幅Ｈ２と同じ幅にした場合の外形線であり、表示部５０を第２の回転軸Ｙを中心に回転すると外形線Ｐと表示部５０のケース５３はＡ部において干渉する。干渉を回避するためには、第１の回転軸Ｚのからケース５３までの距離Ｈ４を大きくする必要があるが、これではビデオカメラ１が大型化してしまう。
【００４３】
そこで、本実施例は、延長部３３の幅Ｈ１を表示部５０のケース５３の幅Ｈ２よりも小さくすることによって、第１の回転軸Ｚからケース５３までの距離Ｈ４を小さくすることができ、ビデオカメラ１を小型にすることができる。より具体的には、表示面保護部が覆う長さＨ１の半分（Ｈ１／２）が第１の回転軸Ｚからケース５３までの距離Ｈ４よりも小さくなるようにする（Ｈ１／２＜Ｈ４）。
【００４４】
なお、図１０において、表示部５０は把持部３０のいずれの側に対しても展開することができるから、第１の回転軸ＺはＨ方向において延長部３３ｃを半分にする中心線上に配置される。
【００４５】
また、図９において、ケース５３は、開口部５２の周囲であって表示面保護部によって覆われる範囲の外側下方に広がる傾斜面（テーパー面）５４を設け、雨などの水滴を下方に逃がし、開口部５２より水滴が進入することを防いでいる。
【００４６】
なお、本実施例は、撮像装置の例としてビデオカメラについて説明したが、デジタルスチルカメラなど撮像装置の種類は限定されない。また、本実施例では、表示部５０を把持部３０のレンズ鏡筒部２０の側に取り付けて表示部５０の表示面５１は収納状態において上向きに配置されるが、特許文献２のように、把持部の上側に表示部を設けてもよい。
【００４７】
以上、本実施例は、把持部３０の延長部３３の下部に表示部５０を回転可能に取り付け、被写体側から見て右側に展開する右開きと左側に展開する左開きの両方を可能にし、これにより、表示部５０の視認範囲を広く確保している。また、本実施例は、延長部３３の下面３３ｃのＨ方向の長さＨ１を表示部５０のケース５３のＨ方向の長さＨ２よりも小さくしている。即ち、表示面５１に平行な面内で光軸に直交するＨ方向において表示面保護部の長さＨ１は表示部５０の長さＨ２よりも小さい。これにより、ビデオカメラ１を小型にしている。更に、表示部５０の収納状態においてケース５３の端部に傾斜面５４を設けることによって水滴を下部に逃がし、開口部５２より水滴が進入することを防いでいる。
【産業上の利用可能性】
【００４８】
撮像装置は、被写体の撮像に適用することができる。
【符号の説明】
【００４９】
１              ビデオカメラ（撮像装置）
１０            カメラ本体部
２０            レンズ鏡筒部
３０            把持部
３３            延長部（表示面保護部）
５０            表示部
５１            表示面
５２            開口部
５３            ケース
５４            傾斜面
Ｚ              第１の回転軸
Ｙ              第２の回転軸
Ｈ              幅方向
【図１】
2011101088.tif 000003
【図２】
2011101088.tif 000004
【図３】
2011101088.tif 000005
【図４】
2011101088.tif 000006
【図５】
2011101088.tif 000007
【図６】
2011101088.tif 000008
【図７】
2011101088.tif 000009
【図８】
2011101088.tif 000010
【図９】
2011101088.tif 000011
【図１０】
2011101088.tif 000012